(57)【要約】【課題】側パネル等の被取付物の保持強度を向上させながらも、壁面の左右方向に沿って被取付物を移動させる際における作業性を向上し得る支持体保持装置及びこれを備えた壁付収納装置を提供する。【解決手段】支持体保持装置１０は、スライド溝１２，１２Ａがそれぞれの長手方向に沿って設けられ、かつ上下方向に間隔を空けて壁面２に沿わせるようにして略水平にそれぞれ配設される上下のガイドレール１１，１１Ａと、これら上下のガイドレールのスライド溝の長手方向に沿ってそれぞれスライド自在とされ、かつ上下方向に長尺に形成された支持体３１の上下端部をそれぞれに保持する上下の保持部材２０，２０Ａとを備え、これら上下の保持部材のうちの下側の保持部材には、床面３に当接されて床上をスライド方向に沿って走行可能とされた下部ローラー２４が設けられており、前記上下のガイドレールの各スライド溝と各スライド溝にそれぞれスライド自在とされた前記上下の保持部材とは、互いに上下動可能にそれぞれ係合する構造とされている。【選択図】図１
2013123613.tif 000002
【特許請求の範囲】
【請求項１】
スライド溝がそれぞれの長手方向に沿って設けられ、かつ上下方向に間隔を空けて壁面に沿わせるようにして略水平にそれぞれ配設される上下のガイドレールと、
これら上下のガイドレールのスライド溝の長手方向に沿ってそれぞれスライド自在とされ、かつ上下方向に長尺に形成された支持体の上下端部をそれぞれに保持する上下の保持部材とを備え、
これら上下の保持部材のうちの下側の保持部材には、床面に当接されて床上をスライド方向に沿って走行可能とされた下部ローラーが設けられており、
前記上下のガイドレールの各スライド溝と各スライド溝にそれぞれスライド自在とされた前記上下の保持部材とは、互いに上下動可能にそれぞれ係合する構造とされていることを特徴とする支持体保持装置。
【請求項２】
請求項１において、
前記上下のガイドレールの各スライド溝は、上下方向の一方に開口しており、
前記上下の保持部材は、各保持部材が係合するスライド溝の開口方向とは反対の方向に突出する係合片を備えており、該係合片が前記スライド溝に係合する構造とされていることを特徴とする支持体保持装置。
【請求項３】
請求項１または２において、
壁面を構成するパネル体をさらに備え、このパネル体の上方側及び下方側に、前記上下のガイドレールがそれぞれ固定される構造とされていることを特徴とする支持体保持装置。
【請求項４】
請求項１乃至３のいずれか１項において、
前記上下の保持部材をそれぞれ複数備えていることを特徴とする支持体保持装置。
【請求項５】
請求項４に記載の支持体保持装置と、
当該支持体保持装置が備える左右に隣接する一組の上下の保持部材にそれぞれ保持される支持体としての左右の側板状体と、
これら左右の側板状体の間に設けられる収納部材とを備えていることを特徴とする壁付収納装置。
【発明の詳細な説明】
【技術分野】
【０００１】
本発明は、壁面に沿わせるように設置される収納装置等の構成部材等を保持する支持体保持装置及びこれを備えた壁付収納装置に関する。
【背景技術】
【０００２】
家具等の収納装置を壁面に沿わせて設置する場合には、耐震対策等の観点から壁面に固定することが望まれていた。その場合、躯体側の制約から任意の位置には固定が困難であったり、固定位置が制約されるといった問題や、一旦設置すると別の場所へ移設することが容易にできないという問題があった。
下記特許文献１では、開口スリットを室内側に設けた断面形状略C字型のガイドレールに対して、フライダー及び取り付けピンを介して複数枚の側パネルを着脱自在に垂設する壁面家具装置が提案されている。
この壁面家具装置では、ガイドレールの開口スリット内に挿入されるフライダーのネジ穴に取り付けピンをネジ込み、フライダーをガイドレールに固定し、側パネルが取り付けピンに対して連結される構造とされている。
【０００３】
一方、下記特許文献２では、引戸本体が、引戸本体に固定されたランナーを介して上レールに支持される上吊り構造の引戸装置が提案されている。この引戸装置では、引戸本体の下端部に、側方に下ローラーを突設した下ピポットを設け、この下ローラーを下ガイドレールに係合させることで、引戸本体の下端部側のガイドがなされる構造とされている。
【先行技術文献】
【特許文献】
【０００４】
【特許文献１】特公平２−４９０８３号公報
【特許文献２】特開２００７−１９１９２８号公報
【発明の概要】
【発明が解決しようとする課題】
【０００５】
しかしながら、上記特許文献１のような壁面家具装置では、フライダーのネジ穴にネジ込まれた取り付けピンによって側パネルが保持される構造とされているため、側パネル等の被取付物の保持強度の観点等からはさらなる改善が望まれていた。また、側パネルを床面に当接させることも考えられるが、その場合、当該側パネルの設置時や設置後などに当該側パネルを壁面に沿って左右方向に移動させることが困難となることが考えられる。
また、上記特許文献２のような引戸装置によれば、引戸本体の幅方向への移動はスムーズになされるが、上吊り構造であるので、例えば、側パネル等の被取付物をこのような引戸本体に取り付け、支持させる場合には、不安定となることが考えられる。また、引戸本体の荷重に加えて被取付物の荷重が掛かるため、被取付物を安定的に保持させることは困難となることも考えられる。
【０００６】
本発明は、上記実情に鑑みてなされたものであり、側パネル等の被取付物の保持強度を向上させながらも、壁面の左右方向に沿って被取付物を移動させる際における作業性を向上し得る支持体保持装置及びこれを備えた壁付収納装置を提供することを目的とする。
【課題を解決するための手段】
【０００７】
上記目的を達成するために、本発明に係る支持体保持装置は、スライド溝がそれぞれの長手方向に沿って設けられ、かつ上下方向に間隔を空けて壁面に沿わせるようにして略水平にそれぞれ配設される上下のガイドレールと、これら上下のガイドレールのスライド溝の長手方向に沿ってそれぞれスライド自在とされ、かつ上下方向に長尺に形成された支持体の上下端部をそれぞれに保持する上下の保持部材とを備え、これら上下の保持部材のうちの下側の保持部材には、床面に当接されて床上をスライド方向に沿って走行可能とされた下部ローラーが設けられており、前記上下のガイドレールの各スライド溝と各スライド溝にそれぞれスライド自在とされた前記上下の保持部材とは、互いに上下動可能にそれぞれ係合する構造とされていることを特徴とする。
【０００８】
本発明においては、前記上下のガイドレールの各スライド溝は、上下方向の一方に開口しており、前記上下の保持部材は、各保持部材が係合するスライド溝の開口方向とは反対の方向に突出する係合片を備えており、該係合片が前記スライド溝に係合する構造とされていてもよい。
また、本発明においては、壁面を構成するパネル体をさらに備え、このパネル体の上方側及び下方側に、前記上下のガイドレールがそれぞれ固定される構造とされていてもよい。
さらに、本発明においては、前記上下の保持部材をそれぞれ複数備えていてもよい。
【０００９】
また、上記目的を達成するために、本発明に係る壁付収納装置は、本発明に係る支持体保持装置と、当該支持体保持装置が備える左右に隣接する一組の上下の保持部材にそれぞれ保持される支持体としての左右の側板状体と、これら左右の側板状体の間に設けられる収納部材とを備えていることを特徴とする。
【発明の効果】
【００１０】
本発明に係る支持体保持装置及びこれを備えた壁付収納装置は、上述のような構成としたことで、側パネル等の被取付物の保持強度を向上させながらも、壁面の左右方向に沿って被取付物を移動させる際における作業性を向上させることができる。
【図面の簡単な説明】
【００１１】
【図１】本発明の一実施形態に係る支持体保持装置及びこれを備えた壁付収納装置の一例を模式的に示し、図５のＡ−Ａ線矢視に対応させた一部破断概略縦断面図である。
【図２】（ａ）は、図５のＸ１部に対応させた概略拡大斜視図、（ｂ）は、図５のＸ２部に対応させた概略拡大斜視図である。
【図３】（ａ）は、図５のＹ１部に対応させた概略拡大斜視図、（ｂ）は、図５のＹ２部に対応させた概略拡大斜視図である。
【図４】（ａ）は、図５のＺ１部に対応させた概略拡大斜視図、（ｂ）は、図５のＺ２部に対応させた概略拡大斜視図である。
【図５】同支持体保持装置及びこれを備えた壁付収納装置の一例を模式的に示す一部省略概略斜視図である。
【図６】同支持体保持装置及びこれを備えた壁付収納装置の一例を模式的に示す概略斜視図である。
【発明を実施するための形態】
【００１２】
以下に本発明の実施の形態について、図面に基づいて説明する。
なお、一部の図では、他図に付している詳細な符号の一部を省略している。
また、以下の実施形態では、支持体保持装置及びこれを備えた壁付収納装置が施工された状態において、当該壁付収納装置に対面した使用者を基準として、前後方向や上下方向等の方向を説明する。
【００１３】
図１〜図６は、本実施形態に係る支持体保持装置及びこれを備えた壁付収納装置の一例を示す図である。
本実施形態に係る壁付収納装置１は、図５及び図６に示すように、壁面２に沿うように配設される上下方向に長尺の支持体３１と、この支持体３１を保持する支持体保持装置１０と、を備えている。
本実施形態では、支持体３１として、図示左方側に位置するパネル状支持体３１Ａと、図示略中央及び図示右方側に位置する収納ユニットをそれぞれに構成する側板状体３１Ｂ，３１Ｃとを例示している。
【００１４】
パネル状支持体３１Ａは、略矩形平板状とされ、そのパネル表面が壁面２に対して略平行となるようにして支持体保持装置１０に保持される。このパネル状支持体３１Ａの上下端部は、支持体保持装置１０が備える後述する上下の保持部材２０，２０Ａにそれぞれ保持される構造とされている。図例では、パネル状支持体３１Ａのパネル幅方向両側端部のそれぞれを、左右一組の上下の保持部材２０，２０Ａ，２０，２０Ａによってそれぞれ保持した構造としている。
このパネル状支持体３１Ａは、前面側に薄型テレビ、鏡、コルクボード、絵画、かざり棚等の壁面取付物５Ａの取り付けが可能とされており、このような壁面取付物５Ａの支持が可能とされている。
【００１５】
図示略中央に位置する収納ユニットは、左右の側板状体３１Ｂ，３１Ｂと、これら左右の側板状体３１Ｂ，３１Ｂの間に設けられる収納部材５（図６参照）とを備えている。
図示右方側に位置する収納ユニットは、左右の側板状体３１Ｃ，３１Ｃと、これら左右の側板状体３１Ｃ，３１Ｃの間に設けられる収納部材５（図６参照）とを備えている。
これら各収納ユニットに設けられる収納部材５としては、図例のような棚板５Ｂや引出５Ｄ、ハンガー等を掛ける吊下棒（パイプ部材）５Ｃ、天板等としてもよく、さらにはスライド棚や、底板等を収納部材としてもよい。
【００１６】
また、これら各収納ユニットをそれぞれに構成する側板状体３１Ｂ，３１Ｂ，３１Ｃ，３１Ｃは、略矩形平板状とされている。これら各側板状体３１Ｂ，３１Ｂ，３１Ｃ，３１Ｃは、壁面２に対して略直交する方向（前後方向）に、それぞれの板幅方向を沿わせるようにして支持体保持装置１０に保持される。支持体保持装置１０は、これら各側板状体３１Ｂ，３１Ｂ，３１Ｃ，３１Ｃの上下端部をそれぞれに保持する上下の保持部材２０Ｂ，２０Ｃ，２０Ｄ，２０Ｅを備えている。
図例では、左右に隣接する一組の上下の保持部材２０Ｂ，２０Ｃ，２０Ｂ，２０Ｃによって図示略中央に位置する収納ユニットを構成する左右の側板状体３１Ｂ，３１Ｂをそれぞれに保持する構造とした例を示している。また、図例では、左右に隣接する一組の上下の保持部材２０Ｄ，２０Ｅ，２０Ｄ，２０Ｅによって図示右方側に位置する収納ユニットを構成する左右の側板状体３１Ｃ，３１Ｃをそれぞれに保持する構造とした例を示している。
【００１７】
これら各収納ユニットをそれぞれに構成する側板状体３１Ｂ，３１Ｂ，３１Ｃ，３１Ｃは、枠組み形成された枠状体の左右面（表裏面）に面材等を貼り合わせることにより形成されたいわゆるフラッシュパネルとしてもよい。または、側板状体３１Ｂ，３１Ｂ，３１Ｃ，３１Ｃは、略矩形平板状の中実のパネル（側板）としてもよい。さらには、側板状体３１Ｂ，３１Ｂ，３１Ｃ，３１Ｃは、複数本のフレームを枠組みして形成された枠状体とされたものとしてもよい。
なお、各収納ユニットを構成する互いに隣り合う側板状体３１Ｂ，３１Ｂ（３１Ｃ，３１Ｃ）の各対向面に、棚板５Ｂ等の収納部材５を支持する複数の係合突起等を、上下方向に沿って間隔を空けて設けるようにしてもよい。また、収納部材５を、引出５Ｄやスライド棚とした場合には、上記対向面に、適宜、公知のスライドレール等を設けるようにしてもよい。
【００１８】
また、図例では、各収納ユニットを構成する側板状体３１Ｂ，３１Ｃの前後寸法（板幅寸法）を異なる寸法としている。図例では、図示右方側に位置する収納ユニットを構成する側板状体３１Ｃの前後寸法を、図示略中央に位置する収納ユニットを構成する側板状体３１Ｂの前後寸法よりも大きくした例を示している。
また、本実施形態では、図５に示すように、これら各側板状体３１Ｂ，３１Ｃの後端部に連ねるようにしてまたは接続するようにして補助板部３２を設けている。
図例では、図示略中央に位置する収納ユニットを構成する左右の側板状体３１Ｂ，３１Ｂのそれぞれの後端部に、互いに向き合う方向に向けて突出するように補助板部３２，３２を設けた例を示している。これら補助板部３２，３２をそれぞれに設けた各側板状体３１Ｂ，３１Ｂは、平面視して略Ｌ字状とされている。
また、図例では、図示右方側に位置する収納ユニットを構成する左右の側板状体３１Ｃ，３１Ｃのそれぞれの後端部に、それぞれの板厚方向両側に向けて突出するように補助板部３２，３２を設けた例を示している。これら補助板部３２，３２をそれぞれに設けた各側板状体３１Ｃ，３１Ｃは、平面視して略Ｔ字状とされている。
このような構成によれば、各側板状体３１Ｂ，３１Ｃを、支持体保持装置１０が備える後述する各保持部材２０Ｂ，２０Ｃ，２０Ｄ，２０Ｅによって比較的に安定的に保持することができ、また、各側板状体３１Ｂ，３１Ｃ自体の強度を向上させることもできる。
【００１９】
上記した支持体３１（各支持体３１Ａ，３１Ｂ，３１Ｃ）を保持する支持体保持装置１０は、上下方向に間隔を空けて壁面２に沿わせるようにして略水平にそれぞれ配設される上下のガイドレール１１，１１Ａと、これら上下のガイドレール１１，１１Ａの長手方向に沿ってそれぞれにスライド自在とされた上下の保持部材２０，２０Ａ，２０Ｂ，２０Ｃ，２０Ｄ，２０Ｅと、を備えている。
本実施形態では、上下のガイドレール１１，１１Ａにそれぞれ保持される上下の保持部材２０，２０Ａ，２０Ｂ，２０Ｃ，２０Ｄ，２０Ｅをそれぞれ複数備えたものとしている。
図例では、各支持体３１Ａ，３１Ｂ，３１Ｃをそれぞれに保持する上下の保持部材として、三態様を示している。なお、これら上下の保持部材２０，２０Ａ，２０Ｂ，２０Ｃ，２０Ｄ，２０Ｅの具体的構成については後述する。
【００２０】
また、本実施形態では、支持体保持装置１０は、壁面３０ａを構成するパネル体３０を備えている。図１、図５及び図６に示すように、支持体保持装置１０は、壁面２に対して略平行となるように配設された略矩形状のパネル体３０を備えており、このパネル体３０の前面が壁面３０ａを構成する構造とされている。
図例では、パネル体３０は、壁面２の略全域を覆うようにして、壁面２との間に間隔を設けるようにして配設されている。
本実施形態では、パネル体３０の上方側及び下方側に、上下のガイドレール１１，１１Ａがそれぞれ固定される構造とされている。
図例では、パネル体３０の上下端部に上下のガイドレール１１，１１Ａがそれぞれに固定される固定具３０ｂ，３０ｃをそれぞれ設けた例を示している。上側固定具３０ｂは、パネル体３０の上端面から上方に向けて突出するように設けられており、パネル体３０の背面に沿うように固定されている。下側固定具３０ｃは、パネル体３０の下端面から下方に向けて突出するように設けられており、パネル体３０の背面に沿うように固定されている。これら上下の固定具３０ｂ，３０ｃを介して上下のガイドレール１１，１１Ａがパネル体３０の上下端部にそれぞれ固定されている。なお、これら上下の固定具３０ｂ，３０ｃは、パネル体３０のパネル幅方向に沿って一連に設けられるものとしてもよく、または、パネル幅方向に沿って間隔を空けて複数設けられるものとしてもよい。
【００２１】
上下のガイドレール１１，１１Ａには、スライド溝１２，１２Ａがそれぞれの長手方向に沿って設けられている。これら上下のガイドレール１１，１１Ａの各スライド溝１２，１２Ａは、上下方向の一方に開口した構造とされている。また、本実施形態では、これら上下のガイドレール１１，１１Ａを、概ね互いに上下を反転させたような構成とした例を示しており、これら上下のガイドレール１１，１１Ａは、略同様の構成とされている。
上側ガイドレール１１は、図１に示すように、壁面２と略平行に配設され、パネル体３０の上側固定具３０ｂに固定される細長平板状の固定片部１４と、この固定片部１４の下縁から前方に向けて突出するように設けられた溝底片部と、この溝底片部の前縁から上方に立ち上がるように設けられた前側片部１３と、を備えている。上側ガイドレール１１は、これら固定片部１４、溝底片部及び前側片部１３によって、上方に向けて開口するスライド溝１２を区画形成している。また、上側ガイドレール１１は、その固定片部１４の上縁から前方に向けて突出するように設けられ、天井面４に近接配置または当接される抜止片部を備えている。
【００２２】
下側ガイドレール１１Ａは、上記した上側ガイドレール１１を概ね上下反転させたような形状とされている。すなわち、下側ガイドレール１１Ａは、壁面２と略平行に配設され、パネル体３０の下側固定具３０ｃに固定される細長平板状の固定片部１４と、この固定片部１４の上縁から前方に向けて突出するように設けられた溝底片部（天片部）と、この溝底片部の前縁から下方に垂れ下がるように設けられた前側片部１３と、を備えている。下側ガイドレール１１Ａは、これら固定片部１４、溝底片部及び前側片部１３によって、下方に向けて開口するスライド溝１２Ａを区画形成している。また、下側ガイドレール１１Ａは、その固定片部１４の下縁から前方に向けて突出するように設けられ、床面３に近接配置または当接される抜止片部を備えている。
つまり、本実施形態では、上側ガイドレール１１のスライド溝１２を、上下方向のうち上方に開口した構造とし、下側ガイドレール１１Ａのスライド溝１２Ａを、上下方向のうち下方に開口した構造とした例を示している。
【００２３】
なお、上側ガイドレール１１は、天井面４に近接させてまたは当接するように設けてもよく、下側ガイドレール１１Ａは、床面３に近接させてまたは当接するように設けるようにしてもよい。図例では、上側ガイドレール１１を、天井面４に当接するように設け、また、下側ガイドレール１１Ａを床面３に当接するように設けた例を示している。
また、これら上下のガイドレール１１，１１Ａとパネル体３０の上下の固定具３０ｂ，３０ｃとの固定態様としては、ボルトやねじ等の固定止具によって固定するようにしてもよい。また、上下のガイドレール１１，１１Ａが天井面４や床面３に当接するように、パネル体３０に対する上下の固定具３０ｂ，３０ｃの上下方向の固定位置を調整するようにしてもよい。
また、パネル体３０の壁面２への固定態様としては、上下の固定具３０ｂ，３０ｃを介して固定するようにしてもよく、または、適宜の固定具等によって固定するようにしてもよい。
また、壁面２は、壁仕上げ面としてもよいが、胴縁や桟部材、間柱、通し柱、下地パネル等の壁下地の表面としてもよい。また、鉄筋コンクリート造等の建築物において、直壁仕上げ等とされている場合には、その仕上げ面を壁面２としてもよい。
【００２４】
上下の保持部材２０，２０Ａ，２０Ｂ，２０Ｃ，２０Ｄ，２０Ｅは、図１に示すように、上下のガイドレール１１，１１Ａのスライド溝１２，１２Ａにその後端側がそれぞれ係合される構造とされている。
これら上下の保持部材２０，２０Ａ，２０Ｂ，２０Ｃ，２０Ｄ，２０Ｅのそれぞれのスライド溝１２，１２Ａに対する係合構造は、概ね同様の構成とされている。また、各下側保持部材２０Ａ，２０Ｃ，２０Ｅは、各上側保持部材２０，２０Ｂ，２０Ｄを概ね上下反転させたような形状とされているが、下部ローラー２４を備えている点が各上側保持部材２０，２０Ｂ，２０Ｄとは主に異なる。なお、下部ローラー２４の具体的構成については後述し、これら上下の保持部材２０，２０Ａ，２０Ｂ，２０Ｃ，２０Ｄ，２０Ｅの共通する構成について説明する。
【００２５】
上下の保持部材２０，２０Ａ，２０Ｂ，２０Ｃ，２０Ｄ，２０Ｅは、それぞれが係合する上述した上下のガイドレール１１，１１Ａのスライド溝１２，１２Ａの開口方向とは反対の方向に突出する係合片２１，２１Ａを備えている。つまり、図１に示すように、上側保持部材２０，２０Ｂ，２０Ｄには、下方に突出する係合片２１が設けられ、下側保持部材２０Ａ，２０Ｃ，２０Ｅには、上方に突出する係合片２１Ａが設けられている。これら上下の係合片２１，２１Ａは、各スライド溝１２，１２Ａに長手方向に沿ってスライド自在に係合するとともに、各スライド溝１２，１２Ａに対して上下動可能に係合する構造とされている。また、これら上下の係合片２１，２１Ａは、それぞれ細長平板状とされており、各ガイドレール１１，１１Ａの長手方向に沿って長尺に形成されている。
【００２６】
また、これら上下の係合片２１，２１Ａの先端部には、各ガイドレール１１，１１Ａのスライド溝１２，１２Ａの両側内側面１３ａ，１４ａに摺るようにして接するスライド部２２，２２が設けられている。
これらスライド部２２，２２は、その前後方向の幅寸法が、各スライド溝１２，１２Ａの前側片部１３の内側面１３ａと固定片部１４の内側面１４ａとの間の間隔と略同寸法とされている。
これらスライド部２２，２２は、各ガイドレール１１，１１Ａのスライド溝１２，１２Ａの長手方向に沿ってスライド自在とされ、スライド溝１２，１２Ａに係合した状態で、スライド溝１２，１２Ａに対して上下動可能とされている。なお、これらスライド部２２，２２としては、耐摩耗性や摺動性に比較的に優れた金属系材料や硬質の合成樹脂系材料から形成されたものとしてもよい。
【００２７】
また、上下の保持部材２０，２０Ａ，２０Ｂ，２０Ｃ，２０Ｄ，２０Ｅは、各支持体３１（３１Ａ，３１Ｂ，３１Ｃ）の上下端部に連結される連結部２３を備えている。
上側保持部材２０，２０Ｂ，２０Ｄの連結部２３は、各支持体３１（３１Ａ，３１Ｂ，３１Ｃ）の上端面に沿うように配設される細長平板状とされている。また、上側保持部材２０，２０Ｂ，２０Ｄは、各連結部２３，２３，２３の後端縁から立ち上がるように形成された立上片部とこの立上片部の上縁から後方に向けて突出するように形成された係合連結片部とを備えている。この係合連結片部の後端縁から下方に向けて垂れ下がるように、上記した係合片２１が一連に形成されている。また、この係合連結片部は、上側ガイドレール１１のスライド溝１２を区画する前側片部１３の上縁と上記抜止片部の下面との間を上下動可能とされている。
【００２８】
下側保持部材２０Ａ，２０Ｃ，２０Ｅの連結部２３は、各支持体３１（３１Ａ，３１Ｂ，３１Ｃ）の下端面に沿うように配設される細長平板状とされている。また、下側保持部材２０Ａ，２０Ｃ，２０Ｅは、各連結部２３，２３，２３の後端縁から垂れ下がるように形成された垂下片部とこの垂下片部の下縁から後方に向けて突出するように形成された係合連結片部とを備えている。この係合連結片部の後端縁から上方に向けて立ち上がるように、上記した係合片２１Ａが一連に形成されている。また、この係合連結片部は、下側ガイドレール１１Ａのスライド溝１２Ａを区画する前側片部１３の下縁と上記抜止片部の上面との間を上下動可能とされている。
【００２９】
上記したパネル状支持体３１Ａの上下端部をそれぞれに保持する上下の保持部材２０，２０Ａの連結部２３，２３は、その前後寸法が、図２に示すように、パネル状支持体３１Ａのパネル厚さ寸法と略同寸法とされている。
また、上記した図示略中央の収納ユニットを構成する側板状体３１Ｂの上下端部をそれぞれに保持する上下の保持部材２０Ｂ，２０Ｃは、その連結部２３，２５が平面視して略Ｌ字状とされた側板状体３１Ｂの上下端面に応じた形状とされている。つまり、これら上下の保持部材２０Ｂ，２０Ｃの連結部は、上記した補助板部３２に応じた形状とされた連結部２３と、この連結部２３に一連に形成され、この連結部２３の長手方向一端部から前方に突出するように設けられた細長平板状の突出連結部２５とによって平面視して略Ｌ字状とされている。
【００３０】
また、上記した図示右方側の収納ユニットを構成する側板状体３１Ｃの上下端部をそれぞれに保持する上下の保持部材２０Ｄ，２０Ｅは、その連結部２３，２５が平面視して略Ｔ字状とされた側板状体３１Ｃの上下端面に応じた形状とされている。つまり、これら上下の保持部材２０Ｄ，２０Ｅの連結部は、上記した両側の補助板部３２，３２に応じた形状とされた連結部２３と、この連結部２３に一連に形成され、この連結部２３の長手方向略中央部から前方に突出するように設けられた細長平板状の突出連結部２５とによって平面視して略Ｔ字状とされている。
なお、これら上下の保持部材２０，２０Ａ，２０Ｂ，２０Ｃ，２０Ｄ，２０Ｅの各連結部２３（２５）と支持体３１（３１Ａ，３１Ｂ，３１Ｃ）の上下端部との固定は、ボルトやねじ等の固定止具によって固定するようにしてもよく、これに加えて接着剤等によって接着固定するようにしてもよい。
また、側板状体３１Ｂや側板状体３１Ｃを、平面視して略Ｌ字状や略Ｔ字状となるように補助板部３２を設けた例を示しているが、これらに補助板部３２を設けないようにしてもよい。この場合は、上記した上下の保持部材２０Ｂ，２０Ｃ，２０Ｄ，２０Ｅの各突出連結部２５を、これらの連結部として把握するようにしてもよい。また、上記した上下のガイドレール１１，１１Ａ及び上下の保持部材２０，２０Ａ，２０Ｂ，２０Ｃ，２０Ｄ，２０Ｅは、金属系材料や硬質の合成樹脂系材料から適宜、上記形状に形成されたものとしてもよい。
【００３１】
次に、下側保持部材２０Ａ，２０Ｃ，２０Ｅに設けられた下部ローラー２４について説明する。
下部ローラー２４は、床面３に当接されて床面３上をスライド方向（上下のガイドレール１１，１１Ａの長手方向）に沿って走行可能とされている。
この下部ローラー２４は、図１に示すように、床面３に当接されて床面３上を転動する転動輪２４ａと、下側保持部材２０Ａ，２０Ｃ，２０Ｅの各連結部２３，２５の下面側に固定される固定ブラケット２４ｃと、を備えている。この下部ローラー２４の転動輪２４ａは、固定ブラケット２４ｃに形成された床面３側に向けて開口する開口部内に収納されるように設置されている。また、固定ブラケット２４ｃには、床面３に略水平で前後方向に架け渡された水平軸２４ｂが設けられており、この水平軸２４ｂ廻りに転動輪２４ａが回動自在に支持されている。
【００３２】
本実施形態では、上記したパネル状支持体３１Ａの下端部を保持する下側保持部材２０Ａには、図２（ｂ）に示すように、その連結部２３の長手方向両端部にそれぞれ下部ローラー２４，２４を設けた例を示している。
また、上記した図示略中央の収納ユニットを構成する側板状体３１Ｂの下端部を保持する下側保持部材２０Ｃには、図３（ｂ）に示すように、その連結部２３の長手方向両端部にそれぞれ下部ローラー２４，２４を設けるとともに、その突出連結部２５の前端部に下部ローラー２４を設けた例を示している。
また、上記した図示右方側の収納ユニットを構成する側板状体３１Ｃの下端部を保持する下側保持部材２０Ｅには、図４（ｂ）に示すように、その連結部２３の長手方向両端部及び略中央部にそれぞれ下部ローラー２４，２４，２４を設けるとともに、その突出連結部２５の前端部に下部ローラー２４を設けた例を示している。
なお、各下側保持部材２０Ａ，２０Ｃ，２０Ｅの連結部２３，２５の下面側に設けられる下部ローラー２４の個数は上記した個数に限られず、上記個数よりも少なくしてもよく、または多くしてもよい。
【００３３】
次に、本実施形態に係る支持体保持装置１０及びこれを備えた壁付収納装置１の施工手順の一例について説明する。
まず、図１に示すように、壁面２との間に間隔を設けるようにして壁面２に略平行となるようにして、パネル体３０を配設する。また、パネル体３０の上方側及び下方側に、上下のガイドレール１１，１１Ａをそれぞれ固定する。なお、パネル体３０を壁面２に沿わせるようにして配設した後に、パネル体３０の上方側及び下方側に、上下のガイドレール１１，１１Ａをそれぞれ固定するようにしてもよく、または、パネル体３０を壁面２に沿わせるようにして配設する前に、パネル体３０の上方側及び下方側に、上下のガイドレール１１，１１Ａをそれぞれ固定するようにしてもよい。
【００３４】
また、上下のガイドレール１１，１１Ａのそれぞれのスライド溝１２，１２Ａに、必要に応じた個数の上下の保持部材２０，２０Ａ，２０Ｂ，２０Ｃ，２０Ｄ，２０Ｅの各係合片２１，２１Ａを係合させる。
また、図２〜図４に示すように、上下の保持部材２０，２０Ａ，２０Ｂ，２０Ｃ，２０Ｄ，２０Ｅの各連結部２３，２５と各支持体３１（３１Ａ，３１Ｂ，３１Ｃ）の上下端部とをそれぞれ固定する。なお、上記したパネル状支持体３１Ａの上下端部をそれぞれに保持する上下の保持部材２０，２０Ａの前端側には、図１に示すように、カバー体２６，２６をパネル状支持体３１Ａのパネル幅方向に沿ってそれぞれ設けるようにしてもよい。このようなカバー体２６，２６を設けることで、パネル状支持体３１Ａの上方側及び下方側に露出する上下の保持部材２０，２０Ａや上下のガイドレール１１，１１Ａを目立ち難くすることができ、見栄えを向上させることができる。
そして、図６に示すように、上記した各収納ユニットを構成する左右の側板状体３１Ｂ，３１Ｂ（３１Ｃ，３１Ｃ）の間に棚板５Ｂや引出５Ｄ、吊下棒５Ｃなどの各種の収納部材５を取り付け、上記した収納ユニットを形成するようにしてもよい。また、パネル状支持体３１Ａに対しては、例えば、薄型テレビ、鏡、コルクボード、絵画、かざり棚等の壁面取付物５Ａを支持させるようにしてもよい。
なお、上記した施工手順は、一例であり、各部や各部材の機能を阻害しないように別手順で行うようにしてもよい。
【００３５】
本実施形態に係る支持体保持装置１０及びこれを備えた壁面収納装置１によれば、側パネル等の被取付物（支持体３１）の保持強度を向上させながらも、壁面２の左右方向に沿って支持体３１を移動させる際における作業性を向上させることができる。
つまり、上下の保持部材２０，２０Ａ，２０Ｂ，２０Ｃ，２０Ｄ，２０Ｅは、ガイドレール１１，１１Ａのスライド溝１２，１２Ａの長手方向に沿ってスライド自在であるので、これら上下の保持部材２０，２０Ａ，２０Ｂ，２０Ｃ，２０Ｄ，２０Ｅに保持される側パネル等の支持体３１（３１Ａ，３１Ｂ，３１Ｃ）を、壁面２の左右方向に沿って移動させることができる。
また、下側保持部材２０Ａ，２０Ｃ，２０Ｅに、床面３に当接されて床上をスライド方向に沿って走行可能とされた下部ローラー２４を設けているので、下部ローラー２４によって支持体３１（３１Ａ，３１Ｂ，３１Ｃ）などの荷重を受けることができる。従って、これら上下の保持部材２０，２０Ａ，２０Ｂ，２０Ｃ，２０Ｄ，２０Ｅに保持される側パネル等の支持体３１（３１Ａ，３１Ｂ，３１Ｃ）の保持強度を向上させながらも、壁面２の左右方向に沿って支持体３１（３１Ａ，３１Ｂ，３１Ｃ）を移動させる際における作業性をより向上させることができる。
また、上下のガイドレール１１，１１Ａの各スライド溝１２，１２Ａと各スライド溝１２，１２Ａにそれぞれスライド自在とされた上下の保持部材２０，２０Ａ，２０Ｂ，２０Ｃ，２０Ｄ，２０Ｅとが互いに上下動可能に係合する構造とされている。従って、側パネル等の支持体３１（３１Ａ，３１Ｂ，３１Ｃ）を壁面２に沿って移動させる際に、例えば、床面３の不陸や上下のガイドレール１１，１１Ａの施工誤差等に起因して、上下の保持部材２０，２０Ａ，２０Ｂ，２０Ｃ，２０Ｄ，２０Ｅが上下のガイドレール１１，１１Ａに対して上下に変位しようとする場合にも、その変位を吸収することができる。これにより、支持体３１（３１Ａ，３１Ｂ，３１Ｃ）を壁面２の左右方向に沿ってスムーズに移動させることができる。
【００３６】
また、本実施形態では、上下のガイドレール１１，１１Ａの各スライド溝１２，１２Ａを、上下方向の一方に開口した構成とし、このスライド溝１２，１２Ａに係合する保持部材２０，２０Ａ，２０Ｂ，２０Ｃ，２０Ｄ，２０Ｅを、スライド溝１２，１２Ａの開口方向とは反対の方向に突出する係合片２１，２１Ａを備えた構成としている。従って、例えば、ガイドレールの前面の上下の略中央部等が長手方向に開口したスライド溝とし、保持部材の係合部を、上下に突出する係合片を備えた構成とした場合と比べて、保持部材２０，２０Ａ，２０Ｂ，２０Ｃ，２０Ｄ，２０Ｅの係合片２１，２１Ａがスライド溝内１２，１２Ａで上下動する際の可動域を効率的に大きくすることができる。つまり、ガイドレール１１，１１Ａの上下寸法を小さくしながらも、ガイドレール１１，１１Ａに対する保持部材２０，２０Ａ，２０Ｂ，２０Ｃ，２０Ｄ，２０Ｅの上下への可動寸法を効率的に大きくすることができる。
【００３７】
また、本実施形態では、壁面３０ａを構成するパネル体３０の上方側及び下方側に、上下のガイドレール１１，１１Ａがそれぞれ固定される構造としている。従って、例えば、このようなパネル体３０を設けずに、壁面２の前面側に上下のガイドレール１１，１１Ａが配設される構造とされたものと比べて、上下の保持部材２０，２０Ａ，２０Ｂ，２０Ｃ，２０Ｄ，２０Ｅに保持された側パネル等の支持体３１（３１Ａ，３１Ｂ，３１Ｃ）と壁面３０ａ（つまりは、パネル体３０の前面）との間の間隙を比較的に小さくすることができ、見栄えを向上させることができる。
【００３８】
また、上記した例では、上下のガイドレール１１，１１Ａにそれぞれ保持される上下の保持部材２０，２０Ａ，２０Ｂ，２０Ｃ，２０Ｄ，２０Ｅをそれぞれ複数備えている。従って、複数の上下の保持部材２０Ｂ，２０Ｃ（２０Ｄ，２０Ｅ）の各々に対して、支持体としての収納ユニットを構成する両側板状体３１Ｂ，３１Ｂ（３１Ｃ，３１Ｃ）を保持させることができる。
【００３９】
また、壁付収納装置１は、支持体保持装置１０が備える左右に隣接する一組の上下の保持部材２０Ｂ，２０Ｃ（２０Ｄ，２０Ｅ）にそれぞれ保持される支持体としての左右の側板状体３１Ｂ，３１Ｂ（３１Ｃ，３１Ｃ）と、これら左右の側板状体３１Ｂ，３１Ｂ（３１Ｃ，３１Ｃ）の間に設けられる収納部材５とを備えている。
従って、壁面２に対してガイドレール１１，１１Ａの長手方向の所望の位置に左右の側板状体３１Ｂ，３１Ｂ（３１Ｃ，３１Ｃ）及び収納部材５で構成された収納ユニットを設置することができる。
また、収納ユニットを設置する際や設置後に移動させる際にも、容易に移動させることができる。
【００４０】
なお、上下の保持部材２０，２０Ａ，２０Ｂ，２０Ｃ，２０Ｄ，２０Ｅに、各ガイドレール１１，１１Ａに対して当該保持部材２０，２０Ａ，２０Ｂ，２０Ｃ，２０Ｄ，２０Ｅを固定する固定部を設けるようにしてもよい。
また、上下の保持部材２０，２０Ａ，２０Ｂ，２０Ｃ，２０Ｄ，２０Ｅの各係合片２１，２１Ａに、上記したスライド部２２，２２に代えて、各ガイドレール１１，１１Ａのスライド溝１２，１２Ａの両側内側面１３ａ，１４ａに当接されて転動するガイドローラーを設けた態様としてもよい。
【００４１】
また、本実施形態では、上側ガイドレール１１のスライド溝１２を上方に開口した構造とし、下側ガイドレール１１Ａのスライド溝１２Ａを下方に開口した構造とした例を示しているが、このような態様に限られない。例えば、上下のガイドレール１１，１１Ａのそれぞれのスライド溝１２，１２Ａの両方を上方若しくは下方に開口した構造としてもよく、または、上側ガイドレール１１のスライド溝１２を下方に開口した構造とし、下側ガイドレール１１Ａのスライド溝１２Ａを上方に開口した構造としてもよい。また、このようなスライド溝１２，１２Ａの開口方向に応じて、上下の保持部材２０，２０Ａ，２０Ｂ，２０Ｃ，２０Ｄ，２０Ｅの係合片２１，２１Ａの突出方向を適宜、変形するようにすればよい。
また、上下のガイドレール１１，１１Ａの各スライド溝１２，１２Ａと各スライド溝１２，１２Ａにそれぞれスライド自在とされた上下の保持部材２０，２０Ａ，２０Ｂ，２０Ｃ，２０Ｄ，２０Ｅとを互いに上下動可能にそれぞれ係合させる構造としては、上記したような態様に限られない。例えば、上下のガイドレール１１，１１Ａを、その前面側の上下方向途中部位において開口する断面略Ｃ字状とし、上下の保持部材２０，２０Ａ，２０Ｂ，２０Ｃ，２０Ｄ，２０Ｅの後端部に、上下に突出する係合片を設けた態様としてもよい。
【００４２】
また、本実施形態では、壁面３０ａを構成するパネル体３０を備えた支持体保持装置１０を示しているが、このようなパネル体３０を備えない態様としてもよい。この場合は、上下のガイドレール１１，１１Ａをそれぞれ天井面４及び床面３に当接するように設けたり、壁面２に沿わせるようにして設けたりしてもよい。
また、本実施形態では、上下のガイドレール１１，１１Ａにそれぞれ保持される上下の保持部材２０，２０Ａ，２０Ｂ，２０Ｃ，２０Ｄ，２０Ｅをそれぞれ複数備えたものを例示しているが、上下のガイドレール１１，１１Ａにそれぞれ保持される単一の上側保持部材２０（２０Ｂ，２０Ｄ）と単一の下側保持部材２０Ａ（２０Ｃ，２０Ｅ）とを備えたものとしてもよい。
また、本実施形態では、左右の側板状体３１Ｂ，３１Ｂ（３１Ｃ，３１Ｃ）を備えた壁付収納装置１を例示しているが、このような収納ユニットを構成する左右の側板状体３１Ｂ，３１Ｂ（３１Ｃ，３１Ｃ）を設けずに、パネル状支持体３１Ａのみを備えたものとしてもよい。
【符号の説明】
【００４３】
１                壁付収納装置
１０              支持体保持装置
１１              上側ガイドレール
１１Ａ            下側ガイドレール
１２              上側ガイドレールのスライド溝
１２Ａ            下側ガイドレールのスライド溝
２０，２０Ｂ，２０Ｄ    上側保持部材
２０Ａ，２０Ｃ，２０Ｅ  下側保持部材
２１              上側保持部材の係合片
２１Ａ            下側保持部材の係合片
２４              下部ローラー
３０              パネル体
３０ａ            壁面
３１              支持体
３１Ａ            パネル状支持体（支持体）
３１Ｂ，３１Ｃ    側板状体（支持体）
２                壁面
３                床面
５                収納部材
５Ｂ              棚板（収納部材）
５Ｃ              吊下棒（収納部材）
５Ｄ              引出（収納部材）
【図１】
2013123613.tif 000003
【図２】
2013123613.tif 000004
【図３】
2013123613.tif 000005
【図４】
2013123613.tif 000006
【図５】
2013123613.tif 000007
【図６】
2013123613.tif 000008